(57)【要約】【課題】  収容した複数の物品の収容状態を変えることができる包装箱を提供する。【解決手段】  包装箱１は、前面板２と、後面板３と、左右一対の左側面板４及び右側面板５と、底面板６と、上面板７とを備え、内部に１０個の物品８を収容している。包装箱１の内部には、底面板６より上側に突出し、物品８の左右端部が載せられる左右一対の載置台部４０が形成されている。包装箱１の内部がひな壇形状になり、載置台部４０に載せられた４個の物品８は、上側に突出する。【選択図】  図８
2018188163.tif 000002
【特許請求の範囲】
【請求項１】
前面板、後面板、左右一対の側面板、及び底面板を備え、複数の物品を配列して収容する包装箱であって、
前記底面板より上側に突出し、物品の左右端部が載せられる左右一対の載置台部を備え、
前記載置台部は、複数の物品を載置可能な長さで形成されていることを特徴とする包装箱。
【請求項２】
請求項１に記載の包装箱において、
前記載置台部は、
前記側面板に形成され、前後方向に延びる側面折り曲げ用折目線と、
前記底面板の前記側面折り曲げ用折目線に対応する位置に形成され、前後方向に延びる底面折り曲げ用折目線と、
前記側面板及び前記底面板に跨って形成され、前記側面折り曲げ用折目線及び前記底面折り曲げ用折目線の前端同士を結ぶ前切れ目線と、
前記側面板及び前記底面板に跨って形成され、前記側面折り曲げ用折目線及び前記底面折り曲げ用折目線の後端同士を結ぶ後切れ目線と、を備え、
前記側面折り曲げ用折目線及び前記底面折り曲げ用折目線に沿って、前記側面折り曲げ用折目線と前記底面折り曲げ用折目線との間の部分が内側に折り曲げられて、前記載置台部が形成されていることを特徴とする包装箱。
【請求項３】
請求項１又は２に記載の包装箱において、
物品の上面を覆う上面板を備え、
前記上面板は、上面折目線を介して前記後面板に連設されていることを特徴とする包装箱。
【請求項４】
請求項１〜３のいずれか１項に記載の包装箱において、
前記前面板及び前記側面板には、前記前面板及び前記側面板を破断させたときに物品を視認可能とする切り欠きを形成させる破断可能線が形成されていることを特徴とする包装箱。
【請求項５】
請求項１〜４のいずれか１項に記載の包装箱において、
前記載置台部と前記後面板との間には、物品を収容可能な隙間が形成されていることを特徴とする包装箱。
【発明の詳細な説明】
【技術分野】
【０００１】
本発明は、複数の物品を配列して収容する包装箱に関する。
【背景技術】
【０００２】
従来、複数の物品を配列して収容する包装箱として、トレイ状の包装箱が知られている。このような包装箱は、スーパーマーケットやコンビエンスストア等の販売店に配置され、商品である物品を陳列する陳列用包装箱として用いられる。
【０００３】
特許文献１に記載の包装箱（ディスプレイケース）は、前面板と、左右一対の側面板と、後面板（背面板）と、底面板（底板）とを備え、左右一対の側面板と底面板とには、複数の切込みが形成されており、この切込みによって側面板と底面板との間の部分を切起こすことにより、底面板より上側に突出した複数の係止片を形成している。
【０００４】
特許文献１に記載の包装箱では、包装箱に収容されている物品を、２個の係止片により挟んで係止することで、整然と配列するようにしている。
【先行技術文献】
【特許文献】
【０００５】
【特許文献１】実開昭６１−１１３６８号公報
【発明の概要】
【発明が解決しようとする課題】
【０００６】
特許文献１に記載の包装箱では、包装箱内の複数の物品は、整然と配列されているが、全て同じ状態で収容されている。包装箱内の複数の物品が、全て同じ状態で収容されている場合には、後側に物品が存在するのか否かが分からない、物品が目立たない等の問題があった。
【０００７】
本発明は、このような事情に鑑みてなされたものであり、収容した複数の物品の収容状態を変えることができる包装箱を提供することを目的とする。
【課題を解決するための手段】
【０００８】
本発明の包装箱は、前面板、後面板、左右一対の側面板、及び底面板を備え、複数の物品を配列して収容する包装箱であって、前記底面板より上側に突出し、物品の左右端部が載せられる左右一対の載置台部を備え、前記載置台部は、複数の物品を載置可能な長さで形成されていることを特徴とする。なお、前面板、後面板、左右一対の側面板、及び底面板は、一体化されていることが好ましく、さらに、前面板、後面板、及び左右一対の側面板は、底面板に連設されていることが好ましい。
【０００９】
本発明の包装箱によれば、物品を左右一対の載置台部に載せることにより、他の物品より上側に突出させることができ、収容した複数の物品の収容状態を変えることができる。これにより、載置台部を後端部に設けた場合には、包装箱に収容された複数の物品のうち、後側にある物品を上側に突出させて目立たせることができ、後側に物品が存在することを容易に知ることができる。さらに、載置台部には、複数の物品を載せることができる。
【００１０】
また、前記載置台部は、前記側面板に形成され、前後方向に延びる側面折り曲げ用折目線と、前記底面板の前記側面折り曲げ用折目線に対応する位置に形成され、前後方向に延びる底面折り曲げ用折目線と、前記側面板及び前記底面板に跨って形成され、前記側面折り曲げ用折目線及び前記底面折り曲げ用折目線の前端同士を結ぶ前切れ目線と、前記側面板及び前記底面板に跨って形成され、前記側面折り曲げ用折目線及び前記底面折り曲げ用折目線の後端同士を結ぶ後切れ目線と、を備え、前記側面折り曲げ用折目線及び前記底面折り曲げ用折目線に沿って、前記側面折り曲げ用折目線と前記底面折り曲げ用折目線との間の部分が内側に折り曲げられて、前記載置台部が形成されていることが好ましい。
【００１１】
この構成によれば、物品を展示する際に、容易に載置台部を形成することができ、物品を輸送する際には、載置台部を形成しない状態の包装箱で輸送することができる。
【００１２】
さらに、物品の上面を覆う上面板を備え、前記上面板は、上面折目線を介して前記後面板に連設されていることが好ましい。
【００１３】
この構成によれば、物品を展示する際に、上面折目線に沿って上面板を折り曲げることで、物品の上方を開放することができ、物品を輸送する際には、上面板により物品の上面を覆うことができる。
【００１４】
また、前記前面板及び前記側面板には、前記前面板及び前記側面板を破断させたときに物品を視認可能とする切り欠きを形成させる破断可能線が形成されていることが好ましい。
【００１５】
この構成によれば、物品を展示する際に、破断可能線に沿って前面板及び側面板を破断させることで、物品を視認可能にすることができ、物品を輸送する際には、前面板及び側面板により物品の前面及び側面を覆うことができる。
【００１６】
また、前記載置台部と前記後面板との間には、物品を収容可能な隙間が形成されていることが好ましい。なお、上記隙間は、物品の前後方向の長さの整数倍（例えば、１倍や２倍）の長さであることが好ましい。
【００１７】
この構成によれば、載置台部に載せられた物品を、載置台部より後側に収容された物品により支持することができる。例えば、載置台部と後面板との間の隙間が、物品の前後方向の長さの２倍である場合、上記隙間には２個の物品がほぼ隙間なく収容され、収容された２個の物品は、安定して支持された状態となっている。この安定して支持された物品により、載置台部に載せられた物品を支持するので、載置台部に載せられた物品を後面板で直接支持するものに比べて、安定して物品を支持することができる。
【図面の簡単な説明】
【００１８】
【図１】本発明の包装箱の一実施形態の開封された状態を示す斜視図。
【図２】包装箱の展開状態の平面図。
【図３】包装箱の開封前の状態を示す斜視図。
【図４】左側面板の上部を切り裂いた状態の包装箱を示す斜視図。
【図５】前面板、左側面板、及び右側面板の上部を切り裂いた状態の包装箱を示す斜視図。
【図６】上面板を起立させた状態の包装箱を示す斜視図。
【図７】上面板を折り曲げた状態の包装箱を示す斜視図。
【図８】載置台部を形成した状態の包装箱を示す斜視図。
【発明を実施するための形態】
【００１９】
本発明の一実施形態を図面に基づいて説明する。
【００２０】
図１に示すように、本実施形態の包装箱１は、前面板２と、後面板３と、左右一対の左側面板４及び右側面板５と、底面板６と、上面板７とを備え、内部に複数（例えば１０個）の箱状の物品８を収容している。
【００２１】
包装箱１の内部には、後述する左右一対の載置台部４０（図８参照）が形成され、１０個の物品８のうち４個は、載置台部４０に載せられ、他の物品８より上側に突出している。包装箱１は、例えば、スーパーマーケットやコンビエンスストア等の販売店に配置され、商品である物品８を陳列する陳列用包装箱である。
【００２２】
図２に示すように、包装箱１は、大略矩形状に打抜いて形成された段ボール板紙１０により組み立てられる。
【００２３】
段ボール板紙１０は、図２において展開して示すように、前面板２に、折目線ＢＬ１を介して一対の左側面板４及び右側面板５がそれぞれ連設されている。左側面板４には、折目線ＢＬ２を介して後面板３が連設されている。後面板３には、折目線ＢＬ３を介して上面板７が連設されている。
【００２４】
底面板６は、第１〜第４底蓋フラップ６ａ〜６ｄから構成されている。第１底蓋フラップ６ａは、折目線ＢＬ４を介して前面板２の下端縁に連設され、第２底蓋フラップ６ｂは、折目線ＢＬ５を介して後面板３の下端縁に連設されている。第３底蓋フラップ６ｃは、折目線ＢＬ６を介して左側面板４の下端縁に連設され、第４底蓋フラップ６ｄは、折目線ＢＬ７を介して右側面板５の下端縁に連設されている。
【００２５】
左側面板４の上端縁には、折目線ＢＬ８を介して接着片１１が連設されている。右側面板５の上端縁には、折目線ＢＬ９を介して接着片１２が連設されている。右側面板５の後端縁には、折目線ＢＬ１０を介して接着片１３が連設されている。上面板７の前端縁には、折目線ＢＬ１１を介して接着片１４が連設されている。
【００２６】
一対の左側面板４及び右側面板５は、折目線ＢＬ１に沿って折り曲げられ、後面板３は、折目線ＢＬ２に沿って折り曲げられ、第１〜第４底蓋フラップ６ａ〜６ｄは、折目線ＢＬ４〜ＢＬ７に沿って折り曲げられている。そして、接着片１３は、折目線ＢＬ１０に沿って折り曲げられ、この折り曲げられた接着片１３は、後面板３の内面の右端部に接着されている。この状態では、第１〜第４底蓋フラップ６ａ〜６ｄは、それぞれ重なり合って係止され、底面板６が形成される。
【００２７】
さらに、接着片１１，１２，１４は、折目線ＢＬ８，ＢＬ９，ＢＬ１１に沿って折り曲げられ、上面板７は、折目線ＢＬ３に沿って折り曲げられている。折り曲げられた接着片１１，１２は、上面板７の内面の左右端部に接着され、折り曲げられた接着片１４は、前面板２の内面の上端部に接着されている。これにより、包装箱１は、図３に示す直方体状となる。なお、包装箱１は、図３の状態で販売店に輸送され、販売店で物品８を取り出し可能な状態（図１参照）にされる。
【００２８】
図２に示すように、段ボール板紙１０には、前面板２と左側面板４と右側面板５とに跨って、連続して破断可能な破断可能線２１が形成されている。上面板７には、連続して破断可能な破断可能線２２が形成されている。破断可能線２１，２２は、直線状の不連続な複数の切れ目による所謂ミシン目によってそれぞれ形成されている。
【００２９】
破断可能線２１は、前面板２に形成された部分では、他の部分より破断範囲が大きくなるように略Ｕ字状に形成されている。これにより、破断可能線２１により前面板２を破断した後に、前面から物品８を取り出し易くなる（図１参照）。
【００３０】
破断可能線２１の左側面板４及び右側面板５に形成された部分には、破断する際の指掛けとなる円弧状の指掛け部２５がそれぞれ形成されている。
【００３１】
左側面板４には、破断可能線２１により破断する際に、破断し易くするための開口２６が形成されている。
【００３２】
左側面板４には、前後方向に延びる折目線ＢＬ１２が形成されている。折目線ＢＬ１２は、物品８の前後方向の長さより長く、例えば、物品８の前後方向の長さの４倍の長さとなっている。
【００３３】
第３底蓋フラップ６ｃには、折目線ＢＬ１２に対応した位置に、前後方向に延びる折目線ＢＬ１３が形成されている。
【００３４】
段ボール板紙１０には、左側面板４と第３底蓋フラップ６ｃとに跨るように、折目線ＢＬ１２及び折目線ＢＬ１３の前端同士を結ぶ左前切れ目線３１と、折目線ＢＬ１２及び折目線ＢＬ１３の後端同士を結ぶ左後切れ目線３２とが形成されている。折目線ＢＬ６の左前切れ目線３１と左後切れ目線３２との間の部分は、いわゆる山折りと谷折りとの両方が可能となるように形成されている。
【００３５】
右側面板５には、折目線ＢＬ１２に対応した位置に、前後方向に延びる折目線ＢＬ１４が形成されている。折目線ＢＬ１４は、物品８の前後方向の長さより長く、例えば、物品８の前後方向の長さの４倍の長さとなっている。
【００３６】
第４底蓋フラップ６ｄには、折目線ＢＬ１４に対応した位置に、前後方向に延びる折目線ＢＬ１５が形成されている。
【００３７】
段ボール板紙１０には、右側面板５と第４底蓋フラップ６ｄとに跨って、折目線ＢＬ１４及び折目線ＢＬ１５の前端同士を結ぶ右前切れ目線３３と、折目線ＢＬ１４及び折目線ＢＬ１５の後端同士を結ぶ右後切れ目線３４とが形成されている。折目線ＢＬ７の右前切れ目線３３と右後切れ目線３４との間の部分は、いわゆる山折りと谷折りとの両方が可能となるように形成されている。
【００３８】
折目線ＢＬ１２〜１５は、その後端と後面板３との間の隙間が、物品８の前後方向の長さより長く、例えば、物品８の前後方向の長さの２倍の長さとなるように形成されている。
【００３９】
上面板７には、略Ｕ字状の切れ目線３６と、切れ目線３６の両端に連結された折目線ＢＬ１６，１７とが形成されている。
【００４０】
次に、図４〜図７を参照して、包装箱１を、収容した物品８を取り出し可能な状態にする作業を説明する。
【００４１】
先ず、図４に示すように、左側面板４の破断可能線２１より上側部分を、破断可能線２１に沿って前方向に引き裂く。この際、左側面板４の指掛け部２５に指を掛けて引き裂くことで、容易に破断可能線２１に沿って引き裂くことができる。
【００４２】
同様にして、右側面板５の破断可能線２１より上側部分を、破断可能線２１に沿って前方向に引き裂く。そして、前面板２の破断可能線２１より上側部分を、破断可能線２１に沿って引き裂く。これにより、図５に示すように、前面板２、左側面板４及び右側面板５の破断可能線２１より上側部分が取り外され、物品８が視認可能となる切り欠き３８が形成される。なお、図４、図５及び図７では、第１，第２底蓋フラップ６ａ，６ｂ及び物品８の図示を省略している。
【００４３】
次に、図６に示すように、上面板７の破断可能線２２より前側部分を、破断可能線２２に沿って引き裂いた後、上面板７を、後面板３と平行となるように上下方向に起立させる。
【００４４】
そして、上面板７の折目線ＢＬ１６，１７及び切れ目線３６より前側部分（図６における上側部分）を、折目線ＢＬ１６，１７に沿って折り曲げる。上面板７は、折目線ＢＬ１６，１７に連結する切れ目線３６の部分に切れ目が入っており、上記折り曲げ動作により、図７に示すように、切れ目線３６によるＵ字形状部分が、逆Ｕ字形状となる。なお、逆Ｕ字形状部分に、物品８を説明する意匠をプリントするようにしてもよい。
【００４５】
次に、図８を参照して、包装箱１に収容された物品８の一部を上側に突出させる作業を説明する。
【００４６】
先ず、折目線ＢＬ１４と折目線ＢＬ１５と右前切れ目線３３と右後切れ目線３４とによって囲まれた部分の右側面板５及び第４底蓋フラップ６ｄを、それぞれ内側方向に折り曲げる。なお、図８では、物品８の図示を省略している。
【００４７】
同様にして、折目線ＢＬ１２と折目線ＢＬ１３と左前切れ目線３１と左後切れ目線３２とによって囲まれた部分の左側面板４及び第３底蓋フラップ６ｃを、それぞれ内側方向に折り曲げる。これにより、包装箱１の内部には、底面板６より上側に突出し、物品８の左右端部が載せられる左右一対の載置台部４０が形成される。
【００４８】
左右一対の載置台部４０が形成されると、包装箱１の内部がひな壇形状となり、図１に示すように、載置台部４０に載せられた複数（本実施形態では４個）の物品８が、上側に突出する。これにより、包装箱１の後側部分に収容されている物品８も目立つようにすることができる。
【００４９】
また、上面板７が設けられておらず、後面板３の高さが低い場合には、載置台部４０に載せられた物品８を後面板３で直接支持するものでは、物品８を安定して支持することができない。本実施形態では、折目線ＢＬ１２〜１５は、その後端と後面板３との間の隙間が、物品８の前後方向の長さの２倍の長さとなるように形成されているので、載置台部４０に載せられた物品８よりも後側に、載置台部４０に載せられていない物品８が２個存在する。さらに、載置台部４０よりも後側にある物品８は、載置台部４０と後面板３との間に、ほぼ隙間なく収容されているので、安定して支持された状態となっている。この安定して支持された後側の物品８により、載置台部４０に載せられた物品８を支持するので、載置台部４０に載せられた物品８を安定して支持することができる。
【００５０】
上記実施形態では、包装箱１を段ボール板紙１０により構成しているが、樹脂や金属等により構成してもよい。
【００５１】
上記実施形態では、左側面板４、右側面板５、及び底面板６を折り曲げることにより、載置台部４０を形成しているが、最初から載置台部を形成するようにしてもよい。この場合、上面板７の形状も変える。
【００５２】
上記実施形態では、上面板７を備える包装箱１に本発明を実施しているが、上面が開口されたトレイ状の包装箱に本発明を実施してもよい。この場合、前面板２、左側面板４及び右側面板５の破断可能線２１より上側部分を形成しないようにしてもよく、前面板２、左側面板４及び右側面板５を、１枚の底面板に連結させるようにしてもよい。
【００５３】
また、載置台部４０を設ける位置は適宜変更可能であり、例えば、前側端部に載置台部４０を設けるようにしてもよい。さらに、載置台部の数も適宜変更可能であり、高さの異なる複数の載置台部を設けるようにしてもよい。この場合、包装箱１の内部を３段以上のひな壇形状にすることができる。
【００５４】
上記実施形態では、本発明を販売店での商品の陳列用包装箱に実施しているが、商品に限らず、物品を収容する包装箱であれば本発明は実施可能であり、例えば、自宅で所持品を収容する包装箱に実施してもよい。
【符号の説明】
【００５５】
１…包装箱、２…前面板、３…後面板、４…左側面板、５…右側面板、６…底面板、６ａ〜６ｄ…第１〜第４底蓋フラップ、７…上面板、８…物品、１１〜１４…接着片、２１，２２…破断可能線、３１…左前切れ目線、３２…左後切れ目線、３３…右前切れ目線、３４…右後切れ目線、３８…切り欠き、４０…載置台部、ＢＬ１〜ＢＬ１７…折目線
【図１】
2018188163.tif 000003
【図２】
2018188163.tif 000004
【図３】
2018188163.tif 000005
【図４】
2018188163.tif 000006
【図５】
2018188163.tif 000007
【図６】
2018188163.tif 000008
【図７】
2018188163.tif 000009
【図８】
2018188163.tif 000010